(57)【要約】【課題】電子キーを携帯しないで建物の外に出ることで屋外に締め出されてしまう等といった不都合な事態を回避できる電子キーシステムを提供する。【解決手段】建物１０の玄関口１５には玄関ドア１６が設けられ、玄関ドア１６には取っ手１９の上方に動作検知センサが設けられている。動作検知センサは、人が取っ手１９に触れようとする動作を検知するセンサである。玄関１１には下駄箱１４が設けられ、下駄箱１４の上には電子キーが保管される。玄関１１には、電子キーと通信可能な第２通信部３３が設けられ、同通信部３３の通信エリアは下駄箱１４を含むように設定されている。動作検知センサにより人が玄関ドア１６の取っ手１９に触れようとしていることが検知され、かつ、第２通信部３３により電子キーからのＩＤコード信号が受信された場合には、スピーカ３２により電子キーが建物１０内に放置されている旨が報知される。【選択図】図１
2010281060.tif 000002
【特許請求の範囲】
【請求項１】
固有の識別情報を送信する電子キーと、
建物の出入口付近の所定範囲を通信可能範囲として、前記電子キーとの間で通信可能とされている第１通信部と、
前記第１通信部により受信した前記電子キーからの識別情報に基づいて、前記出入口を開閉する出入口扉の施解錠を行う施解錠手段と、
を備える建物の電子キーシステムにおいて、
前記出入口を通じて建物内から人が屋外に出ようとしていることを判定する外出判定手段と、
前記電子キーが建物内に放置されているか否かを判定する放置判定手段と、
前記外出判定手段により人が建物内から屋外に出ようとしていることが判定され、かつ、前記放置判定手段により前記電子キーが建物内に放置されていることが判定された場合には、その放置されている旨を報知手段により報知する報知制御手段と、
を備えることを特徴とする建物の電子キーシステム。
【請求項２】
前記出入口の周囲に設けられた出入口通過領域を除く建物内における所定範囲を通信可能範囲として、前記電子キーとの間で通信可能とされている第２通信部を備え、
前記放置判定手段は、前記第２通信部により受信した前記電子キーからの識別情報に基づいて、前記電子キーが建物内に放置されていることを判定することを特徴とする請求項１に記載の建物の電子キーシステム。
【請求項３】
前記出入口に隣接して設けられた屋内ホールには、前記電子キーを保管するキー置き場が設けられ、
前記第２通信部の通信エリアは、少なくとも前記キー置き場を含むように設定されていることを特徴とする請求項２に記載の建物の電子キーシステム。
【請求項４】
前記電子キーが移動しているか否かを判定する移動判定手段を備え、
前記放置判定手段は、前記移動判定手段の判定結果に基づいて、前記電子キーが建物内に放置されているか否かを判定するものであることを特徴とする請求項１に記載の建物の電子キーシステム。
【請求項５】
前記電子キーの振動を検知する振動検知手段を備え、
前記移動判定手段は、前記振動検知手段の検知結果に基づいて、前記電子キーが移動しているか否かを判定することを特徴とする請求項４に記載の建物の電子キーシステム。
【請求項６】
前記出入口を開閉する出入口扉には、屋内側に取っ手が設けられ、
前記取っ手に人が接触しようとすること又は接触したことを検知する接触動作検知手段を備え、
前記外出判定手段は、前記接触動作検知手段の検知結果に基づいて、人が建物内から屋外に出ようとしていることを判定することを特徴とする請求項１乃至５のいずれか一項に記載の建物の電子キーシステム。
【請求項７】
前記出入口に隣接して設けられる屋内ホールに人が存在していることを検知する人検知手段を備え、
前記外出判定手段は、前記人検知手段の検知結果に基づいて、人が建物内から屋外に出ようとしていることを判定することを特徴とする請求項１乃至６のいずれか一項に記載の建物の電子キーシステム。
【発明の詳細な説明】
【技術分野】
【０００１】
本発明は、電子キーシステムに関する。
【背景技術】
【０００２】
住宅等の建物では、無線機能を有する電子キーを用い、その電子キーを所持した居住者が建物のドアに近づくと、ドアの施解錠が自動で行われる電子キーシステムが実用化されている。例えば、特許文献１では、居住者が携帯する電子キーによる認証に基づいてドアの施解錠が実行されるシステムが開示されている。これによれば、電子キーを携帯した居住者が建物に入るためにドアに近づき、当該ドア付近に設けられた通信装置の通信エリア内に入ると、電子キーから発信される識別情報が通信装置により受信される。そして、建物側ではその識別情報に基づいて居住者であるか否かの認証が行われ、その認証により居住者であることが判定されるとドアが自動で解錠される。これにより、人手により直接操作をすることなくドアの施解錠を行うことができるため、利便性を高めることができる。
【先行技術文献】
【特許文献】
【０００３】
【特許文献１】特開２００３−７４２５６号公報
【発明の概要】
【発明が解決しようとする課題】
【０００４】
ところで、上記特許文献１のシステムは、電子キーの認証に基づき施解錠を行う構成であるため、電子キーを携帯し忘れたまま建物の外に出た場合には屋外側からドアの解錠をすることができなくなる。したがって、例えば電子キーを携帯しないで外出した場合には、外出先から戻っても建物内に入れず、その結果屋外に締め出されてしまうおそれがある。
【０００５】
また、庭やガレージ等、敷地内で軽作業をするために少しの間だけ建物の外に出る際には、電子キーを携帯しないまま建物の外に出てしまうことが考えられる。この場合においても、上記外出した場合と同様、屋外に締め出されてしまうといった不都合が生じうる。
【０００６】
本発明は、上記事情に鑑みてなされたものであり、電子キーを携帯しないで建物の外に出ることで屋外に締め出されてしまう等といった不都合な事態を回避できる電子キーシステムを提供することを主たる目的とするものである。
【課題を解決するための手段】
【０００７】
上記課題を解決すべく、第１の発明の建物の電子キーシステムは、固有の識別情報を送信する電子キーと、建物の出入口付近の所定範囲を通信可能範囲として、前記電子キーとの間で通信可能とされている第１通信部と、前記第１通信部により受信した前記電子キーからの識別情報に基づいて、前記出入口を開閉する出入口扉の施解錠を行う施解錠手段と、を備える建物の電子キーシステムにおいて、前記出入口を通じて建物内から人が屋外に出ようとしていることを判定する外出判定手段と、前記電子キーが建物内に放置されているか否かを判定する放置判定手段と、前記外出判定手段により人が建物内から屋外に出ようとしていることが判定され、かつ、前記放置判定手段により前記電子キーが建物内に放置されていることが判定された場合には、その放置されている旨を報知手段により報知する報知制御手段と、を備えることを特徴とする。
【０００８】
本発明によれば、居住者等の人が出入口を通じて建物内から屋外に出ようとしているときに、電子キーが建物内に放置されている場合には、その放置されている旨が報知手段により報知される。この場合、建物内から屋外に出ようとする人は、電子キーを携帯していないことを屋外に出る前に知ることができるため、電子キーを不携帯のまま建物内から出ることで屋外に締め出されてしまう等といった不都合な事態を回避できる。
【０００９】
第２の発明の建物の電子キーシステムは、第１の発明において、前記出入口の周囲に設けられた出入口通過領域を除く建物内における所定範囲を通信可能範囲として、前記電子キーとの間で通信可能とされている第２通信部を備え、前記放置判定手段は、前記第２通信部により受信した前記電子キーからの識別情報に基づいて、前記電子キーが建物内に放置されていることを判定することを特徴とする。
【００１０】
出入口を通じて屋内外を出入りする際には、出入口の周囲の所定領域（出入口通過領域）を通ることとなる。この出入口通過領域に電子キーが放置されることは想定しにくい。そこで、本発明では、出入口通過領域を除く建物内における所定範囲を第２通信部の通信可能範囲として設定し、その第２通信部を通じて受信した電子キーからの識別情報に基づいて、電子キーが建物内に放置されていることを判定することとしている。これにより、電子キーの放置を判定する場合において実用上好ましい構成となる。また、この場合、電子キーの保管場所等、通常建物内で電子キーが放置されることが想定される場所を含むように第２通信部の通信可能範囲を設定しておけば、電子キーが建物内に放置されているか否かを容易に判定することができる。
【００１１】
第３の発明の建物の電子キーシステムは、第２の発明において、前記出入口に隣接して設けられた屋内ホールには、前記電子キーを保管するキー置き場が設けられ、前記第２通信部の通信エリアは、少なくとも前記キー置き場を含むように設定されていることを特徴とする。
【００１２】
電子キーの所在を明らかにしておき、かつ、電子キーの使い勝手を良好なものにするには、出入口付近の屋内ホールにキー置き場（例えば玄関の下駄箱の上等）を定めておくことが考えられる。ここで、屋内ホールに設けられたキー置き場が第１通信部の通信エリアに含まれ、そのキー置き場に電子キーが放置されている場合には、電子キーから送信される識別情報が第１通信部により受信され出入口扉が解錠されることが想定される。この場合、電子キーがキー置き場に放置されたままでも出入口扉が解錠されるため、建物内に電子キーを放置したまま屋外に出てしまうおそれがある。そこで、本発明では、その点に着目し、キー置き場を少なくとも含むようにして第２通信部の通信可能範囲を設定することとしている。これにより、キー置き場に電子キーが放置されている場合には報知手段によりその旨が報知されるため、放置されている電子キーにより出入口扉が解錠された場合でも、電子キーを携帯しないまま屋外に出るのを防止することができる。
【００１３】
第４の発明の建物の電子キーシステムは、第１の発明において、前記電子キーが移動しているか否かを判定する移動判定手段を備え、前記放置判定手段は、前記移動判定手段の判定結果に基づいて、前記電子キーが建物内に放置されているか否かを判定するものであることを特徴とする。
【００１４】
通常、電子キーが建物内に放置されている場合には、電子キーは移動せず不動のままとなっている。そこで、本発明では、電子キーが移動しているか否かを判定し、その判定結果に基づいて電子キーが建物内に放置されているか否かを判定することとしている。これにより、電子キーの放置を判定する場合において実用上好ましい構成となる。
【００１５】
第５の発明の建物の電子キーシステムは、第４の発明において、前記電子キーの振動を検知する振動検知手段を備え、前記移動判定手段は、前記振動検知手段の検知結果に基づいて、前記電子キーが移動しているか否かを判定することを特徴とする。
【００１６】
電子キーを携帯したユーザが移動している場合には、その移動に基づく振動が電子キーに伝わる。この観点に基づいて本発明では、電子キーの振動の検知結果に基づいて電子キーが移動しているか否かの判定を行うこととしている。したがって、例えば、電子キーが振動している場合には電子キーが移動していると判定したり、電子キーが振動していない場合には電子キーが移動していないと判定したりすることができる。これにより、電子キーが移動しているか否かを、つまり電子キーが建物内に放置されているか否かを具体的に判断することができる。
【００１７】
第６の発明の建物の電子キーシステムは、第１乃至第５のいずれかの発明において、前記出入口を開閉する出入口扉には、屋内側に取っ手が設けられ、前記取っ手に人が接触しようとすること又は接触したことを検知する接触動作検知手段を備え、前記外出判定手段は、前記接触動作検知手段の検知結果に基づいて、人が建物内から屋外に出ようとしていることを判定することを特徴とする。
【００１８】
人が出入口を通じて建物内から屋外に出る際には、出入口扉を開いて出る。そして、この場合、出入口扉の屋内側に設けられた取っ手を持って出入口扉を開くのが通常である。そこで本発明では、その点に着目し、人が取っ手に接触しようとすること又は接触したことを検知したことをもって、人が出入口を通じて建物内から出ようとしていることを判定することとしている。これにより、人が建物内から出ようとしていることを判定する場合において実用上好ましい構成となる。
【００１９】
第７の発明の建物の電子キーシステムは、第１乃至第６のいずれかの発明において、前記出入口に隣接して設けられる屋内ホールに人が存在していることを検知する人検知手段を備え、前記外出判定手段は、前記人検知手段の検知結果に基づいて、人が建物内から屋外に出ようとしていることを判定することを特徴とする。
【００２０】
人が出入口を通じて建物内から屋外に出る場合、出入口に隣接する玄関等の屋内ホールを通って屋外に出ることが考えられる。そこで、本発明では、その点に着目し、人が屋内ホールに存在していることを人検知手段により検知したことをもって、人が出入口を通じて建物内から出ようとしていることを判定することとしている。これにより、人が建物内から出ようとしていることを判定する場合において実用上好ましい構成となる。
【図面の簡単な説明】
【００２１】
【図１】玄関周辺を示す平面図。
【図２】玄関ドアを屋内側から見た状態を示す正面図。
【図３】屋内制御装置周辺の構成を示す側面図。
【図４】電子キーシステムを示す全体構成図。
【図５】施解錠制御処理を示すフローチャート。
【図６】屋内制御装置の設置構成の別例を示す図。
【発明を実施するための形態】
【００２２】
以下に、本発明を具体化した一実施の形態について図面を参照しつつ説明する。なお、図１は玄関周辺を示す平面図であり、図２は玄関ドアを屋内側から見た状態を示す正面図である。
【００２３】
図１に示すように、建物１０は、屋内スペースとして玄関１１と、玄関１１に隣接して設けられる廊下１２及び居室１３とを備えている。玄関１１には、下駄箱１４が設置されており、その天板上には小物入れ２６（キー置き場に相当）が設けられている。小物入れ２６には、居住者の所有する鍵等を収納することが可能となっており、本実施形態では、この小物入れ２６に居住者の電子キー１８が収納されることを想定している。建物１０には、玄関１１と屋外とを連通する出入口としての玄関口１５が設けられている。この玄関口１５を通じて建物１０への出入りが可能となっている。玄関口１５には、出入口扉としての玄関ドア１６が設けられている。玄関ドア１６は、例えば回動式のドアであり、この玄関ドア１６が回動されることにより玄関口１５が開閉される。
【００２４】
玄関ドア１６には、図２に示すように、施解錠手段としての施解錠装置１７が設けられている。施解錠装置１７は、錠前を電気的に施解錠することにより玄関ドア１６の施錠及び解錠（ロック及びアンロック）を行う装置である。玄関ドア１６には、取っ手１９が設けられている。取っ手１９は、例えばレバー式のものにより構成されている。本実施形態では、この取っ手１９を下方に傾けることで玄関ドア１６のラッチ１６ａが引っ込み、玄関ドア１６が開放可能となる構成になっている。
【００２５】
玄関ドア１６には、取っ手１９の上方に屋内制御装置２０が設けられている。屋内制御装置２０は、当該ドア１６の施解錠管理を行うものである。以下、この屋内制御装置２０の構成について図３に基づいて説明する。なお、図３は屋内制御装置２０周辺の構成を示す側面図である。
【００２６】
図３に示すように、屋内制御装置２０は、制御ユニット２１と、検知ユニット２２とを備えている。制御ユニット２１は、脚部２３により玄関ドア１６に固定されており、この脚部２３に検知ユニット２２が取り付けられている。
【００２７】
制御ユニット２１は、コントローラ２４と、第１通信部２５とを備えている。コントローラ２４は、本電子キーシステムにおいて施解錠制御を行うものである。コントローラ２４は、ＣＰＵ等を有する周知のマイクロコンピュータを備えて構成されている。
【００２８】
第１通信部２５は、居住者が携帯する電子キー１８との間で無線通信を行うものである。第１通信部２５は、その通信エリアが同通信部２５を中心として例えば半径１ｍ程度の範囲に設定されており、そのエリア内において電子キー１８と通信可能とされている。第１通信部２５の通信エリアは、図１において一点鎖線の枠（図１のＴ１）で示すように屋内外に跨って拡がっており、その屋内側のエリアには玄関１１に設置された下駄箱１４が含まれている。
【００２９】
検知ユニット２２は、接触動作検知手段としての動作検知センサ２８を備えている。検知ユニット２２は下側が開口された薄型の筐体を有し、検知ユニット２２の略中央部には同ユニット２２を厚み方向に貫く貫通孔（図示略）が設けられている。検知ユニット２２は、この貫通孔に挿通された状態で、制御ユニット２１と玄関ドア１６との間に設けられている。
【００３０】
動作検知センサ２８は、玄関ドア１６の取っ手１９の上方に人の手が存在することを検知するセンサであり、例えば赤外線センサ等からなる。本実施形態では、取っ手１９を下側に傾けることで玄関ドア１６が開放可能となる構成であるため、玄関ドア１６を開くために取っ手１９をつかむ際には、取っ手１９の上方から手を当該取っ手１９に近づけることが考えられる。そこで、本実施形態では、動作検知センサ２８により取っ手１９の上方に人の手が存在することを検知することによって、人が取っ手１９に手を触れようとする動作を検知することとしている。
【００３１】
なお、動作検知センサ２８を収容する検知ユニット２２の筐体には、開口部が下側（底部）にのみ設けられており、そのため同センサ２８の検知範囲が当該センサ２８よりも下方のエリアに、つまりは取っ手１９の上方のエリアに限定されている。したがって、玄関１１をうろつくだけの人が検知される等の誤検知を防止できるようになっている。また、検知ユニット２２は脚部２３を中心としてドア１６面に沿って回転可能とされており、そのため検知ユニット２２を回転させることで筐体の開口部の開口向きを変えられるようになっている。したがって、この開口向きを調整することで動作検知センサ２８の検知範囲を変えることもできる。
【００３２】
また、図示は省略するが、屋内制御装置２０には、居住者により操作される操作部が設けられている。操作部には各種操作を行うための操作ボタン等が設けられている。
【００３３】
図１の説明に戻り、玄関１１には、報知手段としてのスピーカ３２が設けられている。スピーカ３２は、電子キー１８が建物１０内に放置されている旨を音声により報知するものであり、例えば玄関１１の内壁面に設けられている。本実施形態では、電子キー１８が建物１０内に放置されているにもかかわらず、居住者が玄関１１から屋外に出ようとしている場合にスピーカ３２により報知処理を実行する。
【００３４】
玄関１１には、居住者の携帯する電子キー１８との間で通信可能な第２通信部３３が設けられている。第２通信部３３は、例えば玄関１１の内壁面に設置されている。第２通信部３３は、その通信エリアが同通信部３３を中心として例えば半径５０ｃｍ程度の範囲に設定されており、そのエリア内において電子キー１８と通信可能とされている。本実施形態では、第２通信部３３の通信エリアが、図１において二点鎖線の枠（図１のＴ２）で示すように、玄関１１の下駄箱１４を含むように設定されている。したがって、本実施形態では、両通信部２５，３３の通信エリアが重複する重複エリアＡ内に下駄箱１４が設置されている。また、第２通信部３３の通信エリアは、玄関１１における下駄箱１４以外の領域には、極力拡がらないように設定されている。つまり、第２通信部３３の通信エリアは、居住者が建物１０内に出入りする際に通る玄関１１における下駄箱１４以外の領域には、極力拡がらないように設定されている。そのため電子キー１８を携帯する居住者が玄関１１を通る場合でも、第２通信部３３は当該電子キー１８と通信をすることがない。
【００３５】
次に、本電子キーシステムの電気的構成について図４に基づいて説明する。なお、図４は電子キーシステムの電気的構成を示す図である。
【００３６】
図４に示すように、コントローラ２４には、第１通信部２５が接続されている。コントローラ２４は、第１通信部２５を介して電子キー１８と通信可能とされており、同通信部２５より所定周期で前述した通信エリア（図１参照）にリクエスト信号を送信する。ここで、電子キー１８を携帯した居住者がそのエリアに入り、リクエスト信号が電子キー１８により受信されると、電子キー１８がリクエスト信号の応答としてＩＤコード信号を送信する。そして、第１通信部２５によりこのＩＤコード信号が受信されると、ＩＤコード信号が同通信部２５からコントローラ２４に入力される。
【００３７】
コントローラ２４は、ＩＤコード記憶部２４ａを備えている。ＩＤコード記憶部２４ａには、識別情報としてのＩＤコード情報があらかじめ記憶されている。ＩＤコード記憶部２４ａに記憶されているＩＤコード情報は、電子キー１８に記憶されているＩＤコードに対応したものである。コントローラ２４は、電子キー１８からＩＤコード信号が入力されると、ＩＤコードの認証を行う。具体的には、コントローラ２４は、入力されたＩＤコード信号がＩＤコード記憶部２４ａに記憶されているＩＤコードと一致するか否かを判定する。
【００３８】
コントローラ２４の出力側には施解錠装置１７が接続されている。コントローラ２４は、上記ＩＤ認証の結果に基づいて施解錠装置１７に施錠信号又は解錠信号を出力し、玄関ドア１６の施解錠制御を実施する。
【００３９】
コントローラ２４の入力側には、動作検知センサ２８が接続されている。人が玄関ドア１６の取っ手１９に触れようとしている場合には、動作検知センサ２８から検知信号がコントローラ２４に入力される。
【００４０】
コントローラ２４には、第２通信部３３が接続されている。コントローラ２４は、第２通信部３３を介して電子キー１８と通信可能とされている。コントローラ２４は、第１通信部２５により受信した電子キー１８からのＩＤコード信号に基づきＩＤ認証を行った場合（認証ＯＫであった場合）には、動作検知センサ２８からの検知信号に基づいて、第２通信部３３より前述した通信エリア（図１参照）にリクエスト信号を送信する。このリクエスト信号が電子キー１８により受信されると、電子キー１８はリクエスト信号の応答としてＩＤコード信号を送信する。このＩＤコード信号が第２通信部３３を介してコントローラ２４により受信されると、コントローラ２４はＩＤコードの認証を行う。
【００４１】
コントローラ２４の出力側には、スピーカ３２が接続されている。コントローラ２４は、上記ＩＤ認証の結果に基づいて、スピーカ３２に報知信号を出力する。これにより、スピーカ３２による報知処理が実行される。
【００４２】
次に、コントローラ２４によって実行される施解錠制御処理について図５に示すフローチャートに基づいて説明する。なお、本処理は、所定の周期で繰り返し実行される。
【００４３】
まずステップＳ１１において、第１通信部２５より所定の通信エリア（図１参照）にリクエスト信号を送信する。
【００４４】
続くステップＳ１２では、リクエスト信号の応答として電子キー１８より送信されるＩＤコード信号を第１通信部２５を介して受信したか否かを判定する。ＩＤコード信号を受信していない場合には、ステップＳ２０に進み、ＩＤコード信号を受信している場合には、ステップＳ１３に進む。
【００４５】
ステップＳ１３では、電子キー１８から受信したＩＤコード信号があらかじめＩＤコード記憶部２４ａに記憶されているＩＤコードと一致しているか否かを判定する。電子キー１８からのＩＤコード信号があらかじめ記憶されているＩＤコードと一致していない場合には、ステップＳ２０に進み、一致している場合には、ステップＳ１４に進む。
【００４６】
ステップ１４では、玄関ドア１６の屋外側に人が存在しているか否かを判定する。本判定は、例えば玄関ドア１６の屋外側に設けられた人検知センサの検知結果に基づいて行われる。玄関ドア１６の屋外側に人が存在している場合には、ステップＳ２１に進み、施解錠装置１７に解錠信号を出力する。これにより、玄関ドア１６が解錠されるため、屋外にいる居住者等は建物１０内に入ることができる。その後、本処理を終了する。玄関ドア１６の屋外側に人が存在していない場合には、ステップＳ１５に進む。この場合、電子キー１８が玄関１１に存在しているとみなすことができるため、例えば電子キー１８を携帯する居住者が玄関１１にいたり、電子キー１８が玄関１１の下駄箱１４上に放置されていたりすること等が考えられる。
【００４７】
ステップＳ１５では、動作検知センサ２８からの検知信号に基づいて、例えば玄関１１に人がいる場合において、その人が玄関ドア１６の取っ手１９に手を触れようとしているか否かを検知する。つまり、ここでは、玄関１１にいる人が玄関ドア１６を開いて建物１０から出ようとしているか否かを検知する。玄関１１にいる人が取っ手１９に手を触れようとしていない場合又は玄関１１に人がいない場合には、ステップＳ２０に進む。玄関１１にいる人が取っ手１９に手を触れようとしている場合には、ステップＳ１６に進む。
【００４８】
ステップＳ１６では、第２通信部３３より所定の通信エリア（図１参照）にリクエスト信号を送信する。
【００４９】
続くステップＳ１７では、リクエスト信号の応答として電子キー１８より送信されるＩＤコード信号を第２通信部３３を介して受信したか否かを判定する。ＩＤコード信号を受信した場合には、ステップＳ１８に進み、受信したＩＤコード信号があらかじめＩＤコード記憶部２４ａに記憶されているＩＤコードと一致しているか否かを判定する。受信したＩＤコード信号が記憶されているＩＤコードと一致している場合には、ステップＳ１９に進む。この場合、電子キー１８は、第１通信部２５及び第２通信部３３の双方にＩＤコード信号を送信しているため、電子キー１８は両通信部２５，３３の重複エリアＡにあるとみなすことができる。つまり、電子キー１８が玄関１１の下駄箱１４の上、例えば小物入れ２６の中に放置されているとみなすことができる。
【００５０】
ステップＳ１９では、報知処理を実行する。報知処理では、スピーカ３２に報知信号を出力し、電子キー１８が放置されている旨をスピーカ３２により報知する。具体的には、例えば「電子キーが放置されています」「電子キーを携帯してください」等のアナウンスをスピーカ３２により行う。これにより、建物１０内から屋外に出ようとしている居住者に対し電子キー１８の不携帯を知らせることができる。なお、報知処理は、屋内制御装置２０に設けられた操作部に対して居住者による処理停止操作が行われるまで継続される。
【００５１】
報知処理の後、ステップＳ２０に進み、施解錠装置１７に施錠信号を出力する。これにより、玄関ドア１６が施錠されるため、電子キー１８を携帯しないまま建物１０の外に出るのを防止することができる。その後、本処理を終了する。
【００５２】
一方、ステップＳ１７及びステップＳ１８のうちいずれかのステップで否定判定をした場合には、ステップＳ２１に進む。この場合、第２通信部３３は電子キー１８からＩＤコード信号を受信してないため、電子キー１８は下駄箱１４の上に放置されていないとみなすことができる。つまり、屋外に出ようとしている居住者が電子キー１８を携帯していると判断することができる。
【００５３】
ステップＳ２１では、施解錠装置１７に解錠信号を出力する。これにより、玄関ドア１６が解錠されるため、居住者は建物１０内から屋外に出ることができる。その後、本処理を終了する。
【００５４】
以上、詳述した本実施形態の構成によれば、以下の優れた効果が得られる。
【００５５】
動作検知センサ２８により人が玄関ドア１６の取っ手１９に触れようとしていることが検知され、かつ、下駄箱１４を含むように通信エリアが設定された第２通信部３３により電子キー１８からのＩＤコード信号が受信された場合には、スピーカ３２により報知処理を行うこととした。つまり、居住者が玄関口１５を通じて建物１０内から屋外に出ようとしているときに、電子キー１８が玄関１１の下駄箱１４の上に放置されている場合には、放置されている旨をスピーカ３２により報知することにした。この場合、建物１０内から屋外に出ようとする居住者は、屋外に出る前に電子キー１８を携帯していないことを知ることができるため、電子キー１８を不携帯のまま建物１０内から出ることで屋外に締め出されてしまう等といった不都合な事態を回避できる。
【００５６】
玄関口１５を通じて建物１０内に出入りする際には、玄関１１における下駄箱１４以外の領域を通って出入りすることとなるが、かかる領域には電子キー１８が放置されることが想定しにくい。そこで、本実施形態では、かかる領域を除く所定のエリアを通信エリアとして電子キー１８と通信可能な第２通信部３３を設け、その第２通信部３３により受信したＩＤコード信号に基づいて電子キー１８が建物１０内に放置されていることを判定することとした。これにより、電子キー１８の放置を判定する場合において実用上好ましい構成となる。
【００５７】
具体的には、第２通信部３３の通信エリアを玄関１１に設けられた下駄箱１４を含むように設定した。これにより、電子キー１８の保管場所となっている下駄箱１４の上に電子キー１８が放置されているか否かを容易に判定することができる。
【００５８】
また、本実施形態では、下駄箱１４が第１通信部２５の通信エリア内に設置されているため、下駄箱１４上の例えば小物入れ２６等に電子キー１８が放置されている場合には、その電子キー１８からのＩＤコード信号に基づいて、玄関ドア１６が解錠されることが想定される。この場合、電子キー１８が下駄箱１４上に放置されたままでも玄関ドア１６が解錠されるため、居住者は電子キー１８を下駄箱１４に放置したまま建物１０の外に出てしまうおそれがある。その点、第２通信部３３の通信エリアを下駄箱１４を含むように設定した上記構成によれば、電子キー１８が下駄箱１４上に放置されている場合にはスピーカ３２によりその旨の報知が行われるため、放置されている電子キー１８により玄関ドア１６が解錠された場合でも、電子キー１８を携帯しないまま建物１０内から出るのを防止することができる。
【００５９】
玄関ドア１６の取っ手１９に人が触れようとしていることを検知する動作検知センサ２８を設け、このセンサ２８の検知結果に基づいて居住者が建物１０内から出ようとしていることを判定することとした。これにより、居住者が建物１０内から出ようとしていることを判定するに場合において実用上好ましい構成とすることができる。
【００６０】
玄関ドア１６の屋内側には取っ手１９と屋内制御装置２０とが設けられ、そのうち屋内制御装置２０に動作検知センサ２８を設けた。動作検知センサ２８をドア１６の取っ手１９に設ける場合には、ドア自体の設計変更が強いられるか又はセンサ設置場所に制約が生じることが考えられる。その点、本構成によればこうした不都合を回避できるため、動作検知センサ２８の設置を容易とすることができる。また、取っ手１９に動作検知センサ２８を設ける場合には、その検知範囲を事後的に変更することが困難であるが、本実施形態の構成では検知ユニット２２がドア１６面に沿って回転可能であるため、検知範囲の変更を容易に実施できるメリットもある。
【００６１】
動作検知センサ２８により人が玄関ドア１６の取っ手１９に触れようとしていることが検知され、かつ、第２通信部３３により電子キー１８からのＩＤコード信号が受信された場合には、施解錠装置１７により施錠処理を行うようにした。つまり、居住者が玄関口１５を通じて建物１０内から屋外に出ようとしているときに、電子キー１８が玄関１１の下駄箱１４の上に放置されている場合には、玄関ドア１６が施錠されるようにした。この場合、居住者が電子キー１８を携帯しないで建物１０の外に出るのを防止できるため、電子キー１８を不携帯のまま建物１０内から出ることで屋外に締め出されてしまう等といった不都合な事態をより確実に回避できる。
【００６２】
本発明は上記実施形態に限らず、例えば次のように実施されてもよい。
【００６３】
（１）上記実施形態では、動作検知センサ２８からの検知結果に基づいて、人が玄関口１５を通じて建物１０内から出ようとしていることを判定する構成としたが、これを以下のように変更してもよい。例えば、人が取っ手１９に接触したことを検知する接触検知センサを設け、当該センサの検知結果に基づいて人が建物１０内から出ようとしていることを判定してもよい。また、玄関ドア１６が玄関１１側から開動作されたことを検知する開動作検知センサを設け、そのセンサの検知結果に基づいて人が建物１０内から出ようとしていることを判定してもよい。これらによっても、居住者が玄関口１５を通じて建物１０内から出ようとしていることを判定することができる。
【００６４】
また、玄関１１に人が存在していることを検知する人検知センサを玄関１１の例えば天井等に設置し、その人検知センサからの検知結果に基づいて、人が建物１０内から出ようとしていることを判定するようにしてもよい。通常、居住者が玄関口１５を通じて建物１０内から出る場合には、玄関１１を通って出るため、かかる構成によっても居住者が建物１０の外に出ようとしていることを判定することができる。
【００６５】
（２）上記実施形態では、第２通信部３３により受信した電子キー１８からのＩＤコード信号に基づいて、電子キー１８が玄関１１の下駄箱１４の上に放置されているか否かを判定することとしたが、これを変更して、電子キー１８が移動しているか否かを判定する移動判定手段を設け、その移動判定手段の判定結果に基づいて電子キー１８が放置されているか否かを判定する構成としてもよい。通常、電子キー１８が建物１０内に放置されているときには、電子キー１８は移動せず不動のままとなっているため、かかる構成によっても電子キー１８が放置されているか否かを判定することができる。具体的には、例えば電子キー１８の振動による加速度を検知する加速度検知センサを当該電子キー１８に設け、その加速度検知センサの検知結果に基づいて電子キー１８が移動しているか否かを判定することが考えられる。通常、電子キー１８を携帯する居住者が移動する等によって電子キー１８が移動している場合には、その移動に基づく振動が電子キー１８に伝わるものである。そのため、かかる構成によれば、電子キー１８が移動しているか否かを、つまり電子キー１８が建物１０内に放置されているか否かを具体的に判定することができる。
【００６６】
（３）上記実施形態では、第２通信部３３の通信エリアを下駄箱１４を含むように設定したが、同通信エリアは、玄関１１における下駄箱１４を除くエリア（つまり、玄関１１において居住者等が通るエリア）以外であれば任意に設定してよい。例えば、電子キー１８の保管場所が下駄箱１４の上ではなく、居室１３に設けられた引き出しの中等その他の場所である場合には、その保管場所を含むように第２通信部３３の通信エリアを設定するとよい。
【００６７】
また、上記実施形態では、建物１０内に第２通信部３３をひとつだけ設置する構成としたが、第２通信部３３を複数設置する構成としてもよい。例えば、電子キー１８の保管場所が建物１０内の複数箇所に設けられている場合には、それら各保管場所を含むようにして各第２通信部３３の各々の通信エリアを設定すればよい。また、この場合、第２通信部３３の通信エリアを設置個数分拡張することができるため、建物１０内に電子キー１８が放置されているか否かの判定をより精度よく行うことができる利点もある。
【００６８】
（４）玄関ドア１６に設けられる取っ手１９としては、レバー式のものの他に、ノブ式のものや上下に延びるバータイプのもの等様々なものがある。ここで、人が取っ手をつかむ際における手の動作（主に動作方向）はこれら取っ手１９の態様に応じて相違することが考えられる。そこで、これら取っ手の態様に応じて、屋内制御装置２０の設置構成を変えてもよい。以下、その具体例を図６に基づいて説明する。
【００６９】
例えば、図６（ａ）及び（ｂ）に示すように、取っ手５１がバータイプのものである場合には、取っ手５１をつかもうとする際に、取っ手５１の側方から手を当該取っ手５１に近づけることが考えられる。そのため、この場合には取っ手５１の側方に屋内制御装置２０を設置するとともに、検知ユニット２２の筐体の開口部が取っ手側を向くように同ユニット２２の向きを調整するのがよい。これにより、取っ手５１をつかもうとする手の動作を検知することができる。
【００７０】
また、図６（ｃ）に示すように、バータイプの取っ手５２が斜めに向けて取り付けられている場合には、取っ手５２をつかもうとする際に、取っ手５２の上方、側方又は斜め上方から手を当該取っ手５２に近づけることが考えられる。そのため、この場合には屋内制御装置２０を例えば取っ手５２の斜め上方に設置するとともに、検知ユニット２２の筐体の開口部が取っ手側を向くように同ユニット２２の向きを調整するのがよい。これにより、取っ手５２をつかもうとする手の動作を検知することができる。
【００７１】
（５）上記実施形態では、第１通信部２５により受信したＩＤコード信号に基づいて認証処理を実施し認証ＯＫになった場合に、ステップＳ１４以降の処理を行う構成としているが、上記認証処理を行わないでステップＳ１４以降の処理を行う構成としてもよい。そうすれば、第１通信部２５の通信エリアが屋外側にのみ設定されているため、屋内から屋外に出る際に電子キー１８による認証に基づいて玄関ドア１６を解錠できないシステムにおいても、ステップＳ１４以降の処理を実行することができる。
【符号の説明】
【００７２】
１０…建物、１１…屋内ホールとしての玄関、１４…下駄箱、１５…出入口としての玄関口、１６…出入口扉としての玄関ドア、１７…施解錠手段としての施解錠装置、１８…電子キー、１９…取っ手、２０…屋内制御装置、２４…報知制御手段及び外出判定手段としてのコントローラ、２５…第１通信部、２６…キー置き場としての小物入れ、２８…接触動作検知手段としての動作検知センサ、３２…報知手段としてのスピーカ、３３…第２通信部。
【図１】
2010281060.tif 000003
【図２】
2010281060.tif 000004
【図３】
2010281060.tif 000005
【図４】
2010281060.tif 000006
【図５】
2010281060.tif 000007
【図６】
2010281060.tif 000008